(57)【要約】【課題】蓋材の外周縁の意図しない部分から上下２層に剥離せず、優れた内容物保存性を維持する湯切り機能付き蓋材及び湯切り機能付き容器を提供することにある。【解決手段】蓋材に注湯口部と湯切り口部が設けられ、湯切り口部に蓋材を上蓋部と下蓋部に剥離する為の剥離コート層が設けられ、剥離コート層を有する領域内の下蓋部に湯切り孔と剥離開始用ハーフカットとが設けられ、剥離開始用ハーフカットが、蓋材がシールされる容器本体のフランジ部上に位置するように形成されており、剥離コート層及び剥離開始用ハーフカットは、蓋材の外周縁に至らない領域・位置に形成されており、湯切り孔は下蓋部に貫通して形成された切り込みにより区画された部分が上蓋部の剥離に伴い除去されることにより形成されてなり、湯切り機能付き容器が前記湯切り機能付き蓋材を具備する。【選択図】図１
2007223665.tif 000002
【特許請求の範囲】
【請求項１】
容器本体のフランジ部にシールする蓋材であって、蓋材の対向する位置に注湯口部と湯切り口部が設けられ、前記湯切り口部の所定部分に蓋材を上蓋部と下蓋部に剥離する為の部分的な剥離コート層が設けられ、前記剥離コート層を有する領域内の下蓋部に湯切り孔と、上蓋部と下蓋部に剥離するきっかけとなる剥離開始用ハーフカットとが設けられ、前記剥離開始用ハーフカットが、蓋材がシールされる容器本体のフランジ部上に位置するように形成されていることを特徴とする湯切り機能付き蓋材。
【請求項２】
前記剥離コート層及び剥離開始用ハーフカットは、蓋材の外周縁に至らない領域・位置に形成されていることを特徴とする請求項１記載の湯切り機能付き蓋材。
【請求項３】
前記剥離開始用ハーフカットは、湯切り口部外周に向かって凸形状であることを特徴とする請求項１又は請求項２記載の湯切り機能付き蓋材。
【請求項４】
前記湯切り孔は、下蓋部に貫通して形成された所定形状の閉じた切り込みにより区画された部分が、上蓋部の剥離に伴い除去されることにより形成されてなることを特徴とする請求項１乃至請求項３のいずれか１項記載の湯切り機能付き蓋材。
【請求項５】
請求項１乃至請求項４のいずれか１項記載の湯切り機能付き蓋材を容器本体のフランジ部にシールしてなることを特徴とする湯切り機能付き容器。
【発明の詳細な説明】
【技術分野】
【０００１】
本発明は、容器内に注入した熱湯を排出する為の湯切り機能を有する蓋材及び湯切り機能付き容器に関するものである。
【背景技術】
【０００２】
従来、即席食品等を収納する容器に使用している蓋材は、紙層を基材とし、その基材の一方の面にガスバリア層、低温シール性を有するシーラント層を積層した積層材料からなるものが多く使用されている。一般的に、即席味噌汁や即席ラーメンなどは食する前に容器に熱湯を注ぎ入れ、数分後にそのまま内容物を食べる場合が多いが、即席焼きそば等は食する前に熱湯を注ぎ入れ、柔らかくほぐした後に、使用した熱湯を容器外に排出してから食べる。使用後の熱湯を容器外に排出する方法としては、いろいろの方法があるが、注ぎ入れた熱湯の温度を低下させず、内容物をほぐした後に湯を効率良く容器外に排出できるものとして、積層構成中に剥離層を有する積層材料からなる蓋材の外周縁に外側に突出する開封用摘み部及び排湯口開口用摘み部を設けた蓋材が提案されている（例えば、特許文献１参照。）。
【特許文献１】特開２０００−１０９１４１号公報
【発明の開示】
【発明が解決しようとする課題】
【０００３】
しかしながら、前記提案されている蓋材は、剥離層と剥離領域に設けられた剥離用ハーフカットが蓋材の外周縁まで設けられている為に、小断ちした時や容器本体のフランジ部にシールした時に外周縁の意図しない部分から上下２層に剥離してしまい、密封が不十分になって、異物混入や保存性が低下してしまうなどの問題があった。
【０００４】
本発明の課題は、小断ちした時や容器本体のフランジ部へシールした時に蓋材の外周縁の意図しない部分から上下２層に剥離せず、優れた内容物保存性を維持する湯切り機能付き蓋材及びその蓋材を用いた湯切り機能付き容器を提供することにある。
【課題を解決するための手段】
【０００５】
本発明の請求項１に係る発明は、容器本体のフランジ部にシールする蓋材であって、蓋材の対向する位置に注湯口部と湯切り口部が設けられ、前記湯切り口部の所定部分に蓋材を上蓋部と下蓋部に剥離する為の部分的な剥離コート層が設けられ、前記剥離コート層を有する領域内の下蓋部に湯切り孔と、上蓋部と下蓋部に剥離するきっかけとなる剥離開始用ハーフカットとが設けられ、前記剥離開始用ハーフカットが、蓋材がシールされる容器本体のフランジ部上に位置するように形成されていることを特徴とする湯切り機能付き蓋材である。
【０００６】
本発明の請求項２に係る発明は、上記請求項１に係る発明において、前記剥離コート層及び剥離開始用ハーフカットは、蓋材の外周縁に至らない領域・位置に形成されていることを特徴とする湯切り機能付き蓋材である。
【０００７】
本発明の請求項３に係る発明は、上記請求項１又は請求項２に係る発明において、前記剥離開始用ハーフカットは、湯切り口部外周に向かって凸形状であることを特徴とする湯切り機能付き蓋材である。
【０００８】
本発明の請求項４に係る発明は、上記請求項１乃至請求項３にいずれか１項に係る発明
において、前記湯切り孔は、下蓋部に貫通して形成された所定形状の閉じた切り込みにより区画された部分が、上蓋部の剥離に伴い除去されることにより形成されてなることを特徴とする湯切り機能付き蓋材である。
【０００９】
本発明の請求項５に係る発明は、上記請求項１乃至請求項４のいずれか１項記載の湯切り機能付き蓋材を容器本体のフランジ部にシールしてなることを特徴とする湯切り機能付き容器である。
【発明の効果】
【００１０】
本発明の湯切り機能付き蓋材は、容器本体のフランジ部にシールする蓋材であって、蓋材の対向する位置に注湯口部と湯切り口部が設けられ、前記湯切り口部の所定部分に蓋材を上蓋部と下蓋部に剥離する為の部分的な剥離コート層が設けられ、前記剥離コート層を有する領域内の下蓋部に湯切り孔と、上蓋部と下蓋部に剥離するきっかけとなる剥離開始用ハーフカットとが設けられ、前記剥離開始用ハーフカットが、蓋材がシールされる容器本体のフランジ部上に位置するように形成されており、前記剥離コート層及び剥離開始用ハーフカットが、蓋材の外周縁に至らない領域・位置に形成されており、前記剥離開始用ハーフカットは、湯切り口部の外周に向かって凸形状であり、前記湯切り孔は下蓋部に貫通して形成された所定形状の閉じた切り込みにより区画された部分が、上蓋部の剥離に伴い除去されることにより形成されてなっているので、小断ちする時や容器本体のフランジ部へシールした時に外周縁が意図しない部分から上下２層に剥離することがなく、優れた内容物保存性を維持し、湯切り孔も簡単に得られ、湯切り機能も良い。また、本発明の湯切り機能付き容器は、前記湯切り機能付き蓋材を容器本体のフランジ部にシールしてなっているので、湯切り機能を必要とする用途で広く利用される。
【発明を実施するための最良の形態】
【００１１】
本発明の湯切り機能付き蓋材及び湯切り機能付き容器を、実施の形態に沿って以下に詳細に説明する。図３は本発明の湯切り機能付き蓋材に使用する積層材料の一実施形態を示す平面図であり、積層材料（２０）は、厚み方向に順に、基材層（２１）、剥離コート層（２２）、接着樹脂層（２３）、ガスバリア層（２４）、シーラント層（２５）が積層された構成である。
【００１２】
前記基材層（２１）は、坪量８０〜１２０ｇ／ｍ2 の紙からなっている。
【００１３】
前記剥離コート層（２２）は、ワックスを含有する剥離コート剤からなっており、積層方法は前記剥離コート剤を用いて公知のグラビアコート法で部分的に塗布する。塗布量は剥離コート剤の種類により適宜選定する。
【００１４】
前記接着樹脂層（２３）に使用する樹脂は、接着性を有する樹脂であれば特に制約はないが、例えばポリエチレン、エチレン・アクリル酸共重合体、エチレン・メチルメタアクリレート共重合体、エチレン・メチルアクリレート共重合体、エチレン・エチルアクリレート共重合体等の樹脂が用いられる。厚みは蓋材のデッドホールド性を調整する為に２０μｍ〜６０μｍの範囲が好ましい。
【００１５】
前記ガスバリア層（２４）には、厚さ１０〜３０μｍのアルミニウム箔や、アルミニウム金属あるいは酸化珪素、酸化アルミニウムなどの無機酸化物を蒸着した蒸着フィルムが使用される。前記蒸着フィルムのベースフィルムには二軸延伸ポリプロピレンフィルム、二軸延伸ナイロンフィルム、二軸延伸ポリエステルフィルムが使用される。
【００１６】
前記シーラント層（２５）は、容器本体のフランジ部にヒートシールでき、開封時にイージーピール性を有するものが好ましく、例えば、ポリエチレンとポリスチレンのポリマ
ーアロイあるいはエチレン・酢酸ビニル共重合体樹脂にワックスを混合した混合物等が使用される。厚みは１０μｍ〜６０μｍの範囲が好ましい。
【００１７】
図１（ａ）は本発明の湯切り機能付き蓋材の一実施形態を示す平面図であり、湯切り機能付き蓋材（１）は、前記積層材料（２０）からなっており、湯切り口部（１１）と注湯口部（１２）とが対向する位置に設けられており、注湯口部（１２）には外側に突出する注湯口用摘み部（１３）が連設されており、さらに、湯切り口部（１１）内には、蓋材を上蓋部と下蓋部に剥離する為の部分的な剥離コート層（２２）を有しており、剥離コート層（２２）を有する領域内の下蓋部には、丸形状の閉じた切り込み（１６、１７）で区画された湯切り孔（１４、１５）と、蓋材を上蓋部と下蓋部に剥離するきっかけとなる剥離開始用ハーフカット（１８）が設けられており、前記剥離開始用ハーフカット（１８）は、蓋材がシールされる容器本体のフランジ部上に位置するように形成されている。
【００１８】
なお、図１（ａ）では、剥離開始用ハーフカット（１８）は湯切り口部（１１）の外周に向かって尖った山形状であるが、この形状に限定されず、例えば、湯切り口部（１１）の外周に向かって緩やかな山形状、円弧状、あるいは凸形状でも良い。剥離開始用ハーフカットを湯切り口部（１１）の外周に向かって凸形状とすることで、上蓋部（２）の隔離が容易、かつ、確実に行われる。
【００１９】
図１（ｂ）は、（ａ）のＡ−Ａ′線断面図であり、剥離開始用ハーフカット（１８）はシーラント（２５）から厚み方向に垂直に剥離コート層（２２）迄刻設されており、切り込み（１６）はシーラント（２５）から厚み方向に垂直に剥離コート層（２２）迄切り込まれている。図示していないが、切り込み（１７）も切り込み（１６）と同様である。
【００２０】
図２は本発明の湯切り機能付き蓋材の上蓋部と下蓋部を説明する為の図であり、上蓋部（２）と下蓋部（３）が剥離された後の状態を示しており、上蓋部（２）の剥離に伴い、丸形状の閉じた切り込み（１６ａ、１７ａ）により区画された部分の剥離コート層（２２）と接着樹脂層（２３）とガスバリア層（２４）とが剥離された上蓋（２）の基材層（２１）に接着した状態で下蓋部（３）から除去され、下蓋部（３）に丸形状の閉じた切り込み（１６ｂ、１７ｂ）により区画された湯切り孔（１４、１５）が形成される。
【００２１】
本発明の湯切り機能付き蓋材は、上記記載のように、蓋材の剥離コート層及び剥離開始用ハーフカットが、蓋材の外周縁に至らない領域・位置に形成されており、さらに、剥離開始用ハーフカットが、蓋材がシールされる容器本体ののフランジ部上に位置するように形成されているので、小断した時や容器本体のフランジ部にシールした時に外周縁の意図しない部分が上下２層に剥離することがなく、内容物保存性も良い。また、湯切り孔も簡単に得られる。
【００２２】
図４は本発明の湯切り機能付き容器の一実施形態を示す断面説明図であり、湯切り機能付き容器（３０）は、容器本体（３１）のフランジ部（３２）に前記湯切り機能付き蓋材（１）がシールされてなっている。容器本体（３１）は、ポリスチレン樹脂からなっており、容器本体（３１）の形状はカップ形状、トレー形状のいずれでも良い。
【図面の簡単な説明】
【００２３】
【図１】（ａ）は本発明の湯切り機能付き蓋材の一実施形態を示す平面図であり、（ｂ）は（ａ）のＡ−Ａ′線断面図である。
【図２】は本発明の湯切り機能付き蓋材の上蓋部と下蓋部を説明する為の図である。
【図３】本発明の湯切り機能付き蓋材に使用する積層材料の一実施形態を示す側断面図である。
【図４】本発明の湯切り機能付き容器の一実施形態を示す断面説明図である。
【符号の説明】
【００２４】
１…湯切り機能付き蓋材
２…上蓋部
３…下蓋部
１１…湯切り口部
１２…注湯口部
１３…注湯口用摘み部
１４，１５…湯切り孔
１６，１６ａ，１６ｂ，１７，１７ａ，１７ｂ…切り込み
１８…剥離開始用ハーフカット
２０…積層材料
２１…基材層
２２…剥離コート層
２３…接着樹脂層
２４…ガスバリア層
２５…シーラント層
３０…湯切り機能付き容器
３１…容器本体
３２…フランジ部
【図１】
2007223665.tif 000003
【図２】
2007223665.tif 000004
【図３】
2007223665.tif 000005
【図４】
2007223665.tif 000006